(57)【要約】【課題】レンズ表面に形成した図形、模様、又はロゴ等がメガネを掛けた場合に見え難く、外から見た場合には視認出来る装飾レンズであって、短時間で手軽に製作することが出来るメガネレンズの提供。【解決手段】レンズ表面には蒸着した金属膜２を設け、該金属膜２の所々には図形、模様、又はロゴ等を象った酸化ケイ素膜４を蒸着して形成している。この酸化ケイ素膜４は、その上に図形、模様、又はロゴ等を象って印刷し、その後、印刷部分を残して酸化ケイ素膜４を取除き、さらに残っている印刷膜６を除去することで形成される。【選択図】        図１
2004279886.tif 000002
【特許請求の範囲】
【請求項１】
レンズ表面に形成した図形、模様、又はロゴ等がメガネを掛けた場合には見え難く、外から見た場合に視認できる装飾レンズにおいて、レンズ表面には蒸着した金属膜を設け、該金属膜の所々には図形、模様、又はロゴ等を象った別の蒸着膜を形成したことを特徴とする装飾メガネレンズ。
【請求項２】
上記金属膜の上には酸化ケイ素膜にて図形、模様、又はロゴ等を形成した請求項１記載の装飾メガネレンズ。
【請求項３】
レンズ表面に形成した図形、模様、又はロゴ等がメガネを掛けた場合には見え難く、外から見た場合に視認できるレンズの装飾方法において、レンズ表面には極薄い金属膜を蒸着し、該金属膜の上に別の種類の極薄い蒸着膜を形成し、該蒸着膜には図形、模様、又はロゴ等を象って印刷し、その後、印刷部分を残して上記蒸着膜を取除き、さらに残っている印刷膜を除去する工程で構成したことを特徴とするレンズの装飾方法。
【請求項４】
レンズ表面に形成した図形、模様、又はロゴ等がメガネを掛けた場合には見え難く、外から見た場合に視認できるレンズの装飾方法において、レンズ表面には極薄い金属膜を蒸着し、該金属膜の上に極薄い酸化ケイ素膜を蒸着し、該酸化ケイ素膜には図形、模様、又はロゴ等を象って印刷し、その後、印刷部分を残して上記酸化ケイ素膜を取除き、さらに残っている印刷膜を除去する工程で構成したことを特徴とするレンズの装飾方法。
【発明の詳細な説明】
【０００１】
【発明の属する技術分野】
本発明はメガネの装飾レンズ及び装飾方法に関するものである。ここでメガネにはサングラスも含めたサングラス用のレンズも対象とする。
【０００２】
【従来の技術】
メガネレンズにも色々な種類があり、近眼用の凹レンズ、老眼用の凸レンズ、乱視用のレンズ、そしてサングラス、偏光レンズなどが夫々の用途に合わせて使用されている。そして、上記レンズが嵌るメガネフレームは多種多様化し、近年では個性的なメガネが好まれている。メガネは顔に掛ける為に装飾性が強くて、従来においても色々なデザインや装飾が施されて来ている。
【０００３】
近年における軽くてスリムな金属製のメガネフレームは、長時間にわたって着用しても疲れないだけでなく、外観のスリムなデザインが好まれる場合が多い。又、表面にカラーメッキをしたり、塗装することでメガネの外観・意匠を良くしている。さらに、宝石や貴金属類などの装飾部品を取付ける場合も多い。
【０００４】
これに対して、メガネの中で最も大きな表面積を占めるレンズは何ら装飾が施されていないのが一般的である。これは、レンズをカラー装飾したり、図形や模様を形成するならば視界が妨げられて、メガネレンズとしての機能が損なわれてしまう為である。そこで、視界が妨げられないようにレンズを装飾することが出来なくてはならない。
【０００５】
従来技術の１つとして、特開平８−４３６０７号に係る「光学フイルター装置及びその製造方法」が知られている。この光学フイルターとは「少なくとも２つの光学フイルター要素から構成される光学フイルター装置であって、光学フイルター要素は第１領域と第１領域に隣接する第２領域とを決定し、第１領域は第２領域と実質的に同一の光通過率特性と、少なくとも可視スペクトル帯域で異なる光反射率特性とを有し、これにより第１領域と第２領域の相違は光学フイルター装置の一側方から見た時に視覚的に認識され、光学フイルター装置の反対側から見た時には実質的に見えない光学フイルター装置である。」
【０００６】
従って、この光学フイルター装置をメガネレンズ及びサングラスレンズに適用するならば、図形や模様をレンズ面に形成した場合、表面からは該図形や模様が認識されるが裏側からは認識されない。従ってレンズの裏側から図形や模様が見え難い為に、メガネを掛けても視界が大きく妨げられることはない。
【０００７】
ところで、この光学フイルター装置の製造方法は、「光学的基体を設け、光学的コーティング膜を選択して基体の一方の面にそれを設け、コーティング膜に所定のパターンを形成して第１領域及び第２の領域を決定する工程から構成されている。光学的コーティング膜は少なくとも２つの被膜光学薄フイルム層から成り、光学的コーティング膜を設ける工程は基体に薄フイルム層を設け、パターンを決定するマスクを用いて少なくとも１つの薄フイルム層をマスキングし、マスクを除去するといった多くの工程から成っている。」
【０００８】
上記光学的コーティング膜は蒸着にて形成されるが、この蒸着工程数が多くなってコスト高と成る。すなわち、薄膜の数か多くて蒸着に時間がかかり、製作コストは非常に高くなってしまう。
【０００９】
【発明が解決しようとする課題】
このように、従来の装飾レンズには上記のごとき問題がある。本発明が解決しようとする課題はこの問題点であり、短時間で手軽に製作することが出来るメガネレンズ及びレンズの装飾加工法を提供する。
【００１０】
【課題を解決する為の手段】
本発明に係る装飾レンズは正面から見た場合にレンズ面に形成した図形や模様などを認識でき、しかし裏面から見た場合には上記図形及び模様などは識別し難いように構成している。この点は、前記従来の技術と同じであるが、本発明の装飾レンズは極めて簡単な工程にて作ることが出来る点に特徴がある。
【００１１】
まず、レンズの表面を洗浄して乾燥後、レンズ面にＡ金属膜を蒸着する。蒸着したレンズ面は所定色彩のミラーとなる。そして、上記Ａ金属膜の上に別のＢ金属を蒸着してＢ金属膜を蒸着形成する。従って、レンズ面はＢ金属が放つ色彩のカラーミラーに変色され、レンズ面にはＡ金属膜とＢ金属膜の２層が積層状態と成る。
【００１２】
その後、Ｂ金属膜の上に所定の図形、模様、ロゴなどを印刷する。従って、印刷された部分と、印刷されないでＢ金属膜が表面化した部分とに別れる。そして、印刷されない領域のＢ金属膜を除去し、Ａ金属膜を表面に露出させ、印刷された部分と、印刷されないでＡ金属膜が表面化した部分とに区別される。さらに、上記印刷部分を取除くことでＢ金属膜が表面化する。その結果、レンズ面はＡ金属膜上にＢ金属膜にて所定の図形、模様、又はロゴなどが形成される。
【００１３】
ところで、上記Ａ金属膜及びＢ金属膜は非常に薄く、裏側からの光はこれら薄膜を直進することが出来る。しかし、正面側から当る光はＡ金属膜及びＢ金属膜に反射して視認することが出来、Ｂ金属膜によって形成される図形、模様、ロゴなどが認識され得る。ここで、Ａ金属膜の上に蒸着される薄膜はＢ金属膜に限ることはなく、非金属膜を作ることも出来る。以下、本発明に係る実施例を図面に基づいて詳細に説明する。
【００１４】
【実施例】
図１は装飾レンズの製造工程を示す概略図である。
（１）はレンズ１の洗浄工程である。ここで、レンズ１は近眼及び老眼などの矯正レンズ、サングラスレンズが対象と成り、レンズ面に付着しているゴミや汚れが除去される。具体的な除去手段は問わないことにする。
（２）はレンズ表面３に金属膜２を形成した場合である。該金属膜２は蒸着によって作られ、その厚さは極めて薄い膜で構成されている。レンズ表面３は金属膜２にて被覆される為に、シルバー色のミラー面と成る。
ここで、蒸着の具体的な方法は限定しないが、例えば蒸着材料をルツボにセットし、電子銃を照射して昇華或いは蒸発させてレンズ面に付着させる方法がある。又モリブデンやタングステンの「ボート」と言われる受け皿に蒸着材料を入れて電流を流して発熱し、昇華或いは蒸発させてレンズ面に付着させることも出来る。
【００１５】
（３）は上記金属膜２の上に酸化ケイ素膜４を形成した場合である。従って、レンズ１の表面は酸化ケイ素膜４にて被覆され、レンズ１は酸化ケイ素の色彩を呈すカラーミラーと成る。ここで、酸化ケイ素膜４の厚さは極薄く、蒸着にて形成される。
（４）は酸化ケイ素膜４の表面５に印刷膜６を形成する。該印刷膜６は所定の図形、模様、ロゴなどが形成される。従って、酸化ケイ素膜４には所定の図形、模様、ロゴなどが形成されて、酸化ケイ素膜４の領域が区分される。
【００１６】
（５）は酸化ケイ素膜４を取除く工程である。酸化ケイ素膜４の除去方法は所定の液に一定時間漬すことで簡単に取除くことが出来、レンズ面は金属面２に所定の図形、模様、又はロゴから成る印刷膜６が形成された状態となる。上記液に漬して除去した後で水洗いし、乾燥する。
（６）は印刷膜６が取除かれた場合であり、レンズ面は金属面２に所定の図形、模様、又はロゴから成る酸化ケイ素膜４が形成された状態となる。すなわち、シルバーミラー面に所定の色彩を有す酸化ケイ素膜４にて図形、模様、又はロゴなどが形成されたレンズ１と成る。ここで、印刷膜６は溶剤を用いて手拭される。
【００１７】
図２は本発明の装飾レンズに光が通過したり反射する場合を示している。装飾されたレンズはその外形が所定の形状寸法に切削加工され、メガネフレームのリムに嵌められる。そして該メガネ又はサングラスを掛けた場合、内側から光７，７・・はレンズ１及び金属膜２、それに酸化ケイ素膜４を通過して直進する。従って、該装飾レンズを嵌めたメガネを掛けても、表面に形成されている図形、模様、又はロゴなどを視認され難く、視界を妨げられることはない。
【００１８】
逆に、該メガネを掛けた人を見た場合、レンズ１に当る光８，８・・は金属膜２及び酸化ケイ素膜４を通過するが、その一部は反射することが出来る。すなわち、金属膜２に当った光８ａは一部反射する為に、シルバーの金属膜２を視認することが出来る。又、酸化ケイ素膜４に当った光８ｂは一部反射する為に、該酸化ケイ素膜４にて形成されている図形、模様、又ロゴなどを視認することが出来る。
【００１９】
以上述べたように、本発明に係る装飾レンズは、レンズ面に蒸着膜を形成し、該蒸着膜の上に図形、模様、又はロゴなどを象った他の蒸着膜を設けたものであり、次のような効果を得ることが出来る。
【００２０】
【発明の効果】
本発明の装飾レンズはレンズ面に図形、模様、又はロゴなどを形成している為に、メガネ全体が華やかと成る。しかし、シルバー又はブラウン色になって、カラフルな色彩は出てこない。メガネの構成部品の中でレンズが占める面積は非常に大きく、該レンズを装飾することでその装飾効果は大きい。しかも、該装飾された図形、模様、又はロゴなどはメガネを掛けた際には見え難い為に視界が妨げられることはない。
【００２１】
そして、本発明の装飾レンズは、レンズ面に金属の蒸着膜を形成し、これに別の蒸着膜を設けて積層構造とし、上側の蒸着膜に印刷を施すことで、適当な図形、模様、又はロゴを残して取除き、最後に印刷膜を除去することで簡単に作ることが出来る。
【図面の簡単な説明】
【図１】本発明の装飾レンズの加工工程。
【図２】装飾レンズの光の通過及び反射。
【符号の説明】
１  レンズ
２  金属膜
３  表面
４  酸化ケイ素膜
５  表面
６  印刷膜
７  光
８  光
【図１】
2004279886.tif 000003
【図２】
2004279886.tif 000004